(57)【要約】【課題】外観を改善するとともに、放熱性を良くして光効率を向上させることのできる照明器具を提供する。【解決手段】器具本体２２が天井１１や壁等の施工面の裏側に配置されるので、器具本体２２が施工面に接触しないため空気の対流を良くし、放熱性が向上するとともに、蛍光ランプ２１のフィラメント部２１ｂがエンド部２４の裏側（外側）に配置されるので、一層放熱性が向上し、光効率を向上させることができる。また、器具本体２２が施工面の裏側に配置されて見えなくなるので、外観を改善することができる。【選択図】図１
2009238512.tif 000002
【特許請求の範囲】
【請求項１】
直管状の蛍光ランプと、
前記蛍光ランプを着脱可能に支持する器具本体と、
前記器具本体に設けられ前記蛍光ランプの口金を電気的に接続する一対のソケットと、
前記蛍光ランプの軸線上に設けられる一対のエンド部と、を備えた照明器具であって、
前記一対のエンド部のうち少なくとも一方は、前記蛍光ランプのフィラメント部が前記エンド部の裏側に位置するように設けられ、
前記器具本体は、天井や壁等の施工面の裏側において開口部を有することを特徴とする照明器具。
【請求項２】
前記エンド部は、前記蛍光ランプの光を反射させる反射面を有することを特徴とする請求項１記載の照明器具。
【請求項３】
前記エンド部は、前記器具本体に対して着脱可能に設けられていることを特徴とする請求項１または２記載の照明器具。
【請求項４】
前記エンド部と前記蛍光ランプとの間に対流用の開口部を設けたことを特徴とする請求項１ないし請求項３のいずれかに記載の照明器具。
【発明の詳細な説明】
【技術分野】
【０００１】
本発明は、直管状の蛍光ランプを器具本体の一対のソケットに取付けて使用する照明器具に関するものである。
【背景技術】
【０００２】
従来より、直管状の蛍光ランプを器具本体の一対のソケットに取付けて使用する照明器具が知られている（例えば特許文献１参照）。
図５に示すように、特許文献１に記載の照明器具１００では、器具本体１０１に対向する２本のフレーム１０２、１０２を平行に配置し、フレーム１０２の両端部に下面が開口した箱状のソケット取付台１０３が対向して配置されている。器具本体１０１は、支持脚体１０５により被取付部に取付けられる。
【０００３】
ソケット取付台１０３には、器具本体１０１の幅方向で一方の同じ側に偏心して、一対のソケット１０４が取付けられており、ランプ１０６が交換可能に取付けられる。両ソケット取付台１０３の間における器具本体１０１の前方（下方）には、反射板１０７が設けられており、反射板１０７の両端には端板１０８が設けられている。端板１０８には、ランプ１０６が貫通する貫通穴１０８ａが設けられており、ランプ１０６は端板１０８の裏面側においてソケット１０４に取り付けられるようになっている。なお、反射板１０７およびランプ１０６の前方（下方）には遮光用のルーバー体１０９が取付けられている。
【特許文献１】特開平５−３３４９０８号公報（第１図、段落００１１）
【発明の開示】
【発明が解決しようとする課題】
【０００４】
しかしながら、前述した特許文献１に記載の照明器具１００においては、器具本体１０１の裏面側（上面側）を被取付面である天井等に向けて取付けるため、放熱性が悪く、光効率が悪いという問題があった。また、器具本体１０１が下方から見えるため、外観もよくなかった。
【０００５】
本発明は、従来の問題を解決するためになされたもので、外観を改善するとともに、放熱性を良くして光効率を向上させることのできる照明器具を提供することを目的とする。
【課題を解決するための手段】
【０００６】
本発明の照明器具は、直管状の蛍光ランプと、前記蛍光ランプを着脱可能に支持する器具本体と、前記器具本体に設けられ前記蛍光ランプの口金を電気的に接続する一対のソケットと、前記蛍光ランプの軸線上に設けられる一対のエンド部と、を備えた照明器具であって、前記一対のエンド部のうち少なくとも一方は、前記蛍光ランプのフィラメント部が前記エンド部の裏側に位置するように設けられ、前記器具本体は、天井や壁等の施工面の裏側において開口部を有する構成を有している。
【０００７】
この構成により、器具本体が天井や壁等の施工面の裏側に配置されるので、器具本体が施工面に接触しないため空気の対流を良くし、放熱性が向上するとともに、蛍光ランプのフィラメント部がエンド部の裏側（外側）に配置されるので、一層放熱性が向上し、光効率を向上させることができる。また、器具本体が施工面の裏側に配置されて見えなくなるので、外観を改善することができる。
【０００８】
また、本発明の照明器具は、前記エンド部は、前記蛍光ランプの光を反射させる反射面を有する構成を有している。
【０００９】
この構成により、エンド部が蛍光ランプの光を反射させるので、光効率を向上させることができる。
【００１０】
さらに、本発明の照明器具は、前記エンド部は、前記器具本体に対して着脱可能に設けられている構成を有している。
【００１１】
この構成により、エンド部を取り外すことにより、蛍光ランプの交換等の作業性を改善することができる。
【００１２】
さらに、本発明の照明器具は、前記エンド部と前記蛍光ランプとの間に対流用の開口部を設けた構成を有している。
【００１３】
この構成により、エンド部と蛍光ランプとの間の開口部を空気が対流するので、放熱性を改善することができる。
【発明の効果】
【００１４】
本発明は、器具本体が天井や壁等の施工面の裏側に配置されるので、器具本体が施工面に接触しないため空気の対流を良くし、放熱性が向上するとともに、蛍光ランプのフィラメント部がエンド部の裏側（外側）に配置されるので、一層放熱性が向上し、光効率を向上させることができる。また、器具本体が施工面の裏側に配置されて見えなくなるので、外観を改善することができるものである。
【発明を実施するための最良の形態】
【００１５】
以下、本発明の実施の形態の照明器具について、図面を用いて説明する。
図１（Ａ）は本発明の第１実施形態にかかる照明器具の側面図、図１（Ｂ）は（Ａ）中Ｂ−Ｂ位置の断面図、図１（Ｃ）は（Ａ）中Ｃ−Ｃ位置の断面図、図２はエンドプレートの着脱を示す斜視図である。
【００１６】
図１に示すように、第１実施形態にかかる照明器具１０は、光源である直管状の蛍光ランプ２１と、この蛍光ランプ２１を着脱可能に支持する器具本体２２とを有しており、施工面である天井１１等に設けられている開口部１２から、天井１１等の裏側に器具本体１２を埋め込んで用いられる。
【００１７】
器具本体２２は適宜に開口（図示省略）が設けられた矩形箱状部材であり、点灯回路（図示省略）等を内蔵している。また、器具本体２２の長手方向両端部下面には、蛍光ランプ２１の口金２１ａを電気的に着脱可能に接続する一対のソケット２３、２３が下方へ突出して設けられている。また、器具本体２２の長手方向端部には、蛍光ランプ２１の軸線上にエンド部である一対のエンドプレート２４が設けられており、少なくとも一方のエンドプレート２４は、蛍光ランプ２１のフィラメント部２１ｂがエンドプレート２４の裏側（外側）に位置するように設けられている。このエンドプレート２４は、蛍光ランプ２１の光を反射するものを用いて、光効率を向上させるが望ましい。
【００１８】
また、図１（Ｂ）に示すように、エンドプレート２４における蛍光ランプ２１が通過する位置には、少なくとも蛍光ランプ２１が通過できる上方が開口したＵ字形状の開口部２４ａが設けられている。これにより、蛍光ランプ２１を装着した状態でエンドプレート２４の着脱を容易に行うことができる。また、この開口部２４ａを介して、空気が対流し、放熱性を向上させることができる。
【００１９】
器具本体２２の下面において、天井１１の開口部１２の内側部分に対応して、反射板２５がネジ２６により取付けられており、反射板２５の外側には外ケース２７が取り付けられている。図１（Ｃ）に示すように、反射板２５は例えば白色の金属製の薄板で形成されており、蛍光ランプ２１が複数本ある場合には、各蛍光ランプ２１の反射光を適正な方向へ反射するように、例えばＷ字状に折曲形成されている。反射板２５の幅方向両端部２５ａは外側に折り曲げられており、天井１１等の開口部１２に取付けられている器具本体２２に取付けた際に、天井１１等の表面１１ａを係止するようになっている。
【００２０】
図２に示すように、エンドプレート２４は、器具本体２２の反射板２５に対して着脱可能に取付けるようにする。これにより、蛍光ランプ２１の交換等の際にエンドプレート２４を取り外すことができるので、作業性を改善することができる。
【００２１】
このような照明器具１０を天井１１等の開口部１２に取付けるには、器具本体２２を、長手方向の一端から開口部１２に挿入し、一旦、器具本体２２の全体を天井１１の裏側に収容する。その後、他端側へ移動させて天井１１の裏側に固定する。次いで、反射板２５の下端部２５ａを開口部１２の長手方向に沿った両端部に下側から当接させ、ネジ２６によって器具本体２２に取付ける。そして、蛍光ランプ２１をソケット２３に取付け、エンドプレート２４を取付ける。
また、蛍光ランプ２１の交換は、エンドプレート２４を取り外すことにより容易に行うことができる。
【００２２】
以上、説明した第１実施形態にかかる照明器具１０によれば、器具本体２２が天井１１等の裏側に配置されるので、器具本体２２が天井１１等に接触しないため空気の対流を良くし、放熱性が向上するとともに、蛍光ランプ２１のフィラメント部２１ｂがエンドプレート２４の裏側（外側）に配置されるので、一層放熱性が向上し、光効率を向上させることができる。また、器具本体２２が天井１１等の裏側に配置されて見えなくなるので、外観を改善することができる。
また、エンドプレート２４の開口部２４ａを介して空気が対流するので、放熱性を改善することができる。
さらに、先に取付けられていた照明器具と交換する際に、同じ開口部１２を用いても、長い蛍光ランプを使用することができるので、高出力化を図ることができる。
【００２３】
次に、本発明の第２実施形態にかかる照明器具について説明する。
図３は第２実施形態にかかる照明器具の側面図である。なお、前述した第１実施形態にかかる照明器具１０と共通する部位には同じ符号を付して、重複する説明を省略することとする。
【００２４】
図３に示すように、第２実施形態にかかる照明器具１０Ｂでは、一方のソケット２３ａが天井１１等の裏側に位置し、他方のソケット２３ｂは天井１１の開口部１２の上方に位置する。
【００２５】
このように構成することにより、前述した第１実施形態にかかる照明器具１０と同様の作用・効果を得るとともに、他方のソケット２３ｂ側を天井１１の裏側に入れる必要がないため、器具本体２２の天井裏への取付け施工性が向上する。
【００２６】
次に、本発明の第３実施形態にかかる照明器具について説明する。
図４は第３実施形態にかかる照明器具の側面図である。なお、前述した第１実施形態及び第２実施形態にかかる照明器具１０、１０Ｂと共通する部位には同じ符号を付して、重複する説明を省略することとする。
【００２７】
図４に示すように、第３実施形態にかかる照明器具１０Ｃでは、両端に設けられているエンドプレート２８、２８を、器具本体２２の長手方向に傾斜させたものである。
【００２８】
このように構成することにより、前述した第１実施形態にかかる照明器具１０と同様の作用・効果を得るとともに、照明器具１０Ｃの長手方向へ照射される光を中央側へ反射させるので、光効率が向上する。また、先に取付けられていた照明器具と全長を合わすことができるので、サイズを変更することなく、新しい照明器具１０Ｃにつけかえることができる。
【００２９】
なお、本発明の照明器具は、前述した各実施形態に限定されるものでなく、適宜な変形，改良等が可能である。
例えば、前述した各実施形態においては、蛍光ランプ２１が下方に露出していたが、蛍光ランプ２１の下方に透明あるいは半透明のガラスや樹脂からなる透光板を設けることもできる。
【図面の簡単な説明】
【００３０】
【図１】（Ａ）は本発明の第１実施形態にかかる照明器具の側面図、（Ｂ）は（Ａ）中Ｂ−Ｂ位置の断面図、（Ｃ）は（Ａ）中Ｃ−Ｃ位置の断面図
【図２】エンドプレートの着脱を示す斜視図
【図３】本発明の第２実施形態にかかる照明器具の側面図
【図４】本発明の第３実施形態にかかる照明器具の側面図
【図５】従来の照明器具を示す分解斜視図
【符号の説明】
【００３１】
１０  照明器具
１１  天井（施工面）
２１  蛍光ランプ
２１ａ  口金
２１ｂ  フィラメント部
２２  器具本体
２３  ソケット
２４  エンドプレート（エンド部）
２４ａ  対流用の開口部
【図１】
2009238512.tif 000003
【図２】
2009238512.tif 000004
【図３】
2009238512.tif 000005
【図４】
2009238512.tif 000006
【図５】
2009238512.tif 000007